(57)【要約】      （修正有）【課題】ロールペーパー芯材の抜取等の追加作業を要せず、かつ、ロールペーパーを容易に取り出し・切断が可能なロールペーパー収納容器を提供する。【解決手段】ロールペーパー収納容器１は、円形開口部１１が上方に設けられるとともに底面１２が設けられた中空筒状本体１０と、該開口部を覆う円形蓋部２０とを備える。本体１０は、底面から中心軸に沿って立設して円形蓋部を支持する支持部をさらに備える。円形蓋部２０は、本体と円形蓋部とを組み付けた状態で外縁３１に沿って隙間Ｇが生じるよう本体の内径より小さい外径を有する。外縁の一部が切り欠かれ、切欠面２２が設けられている。切欠面２２の少なくとも一部に刃部２３が設置又は形成されていることが好ましい。また、支持部の外縁の少なくとも一部が弾性体により構成されていることがさらに好ましい。【選択図】図１
0003162097.tif 000002
【実用新案登録請求の範囲】
【請求項１】
円形開口部が上方に設けられるとともに底面が設けられた中空筒状の本体と、該開口部を覆う円形蓋部と、を備えたロールペーパー収納容器であって、
前記本体は、前記底面から中心軸に沿って立設して前記円形蓋部を支持する支持部をさらに備え、
前記円形蓋部は、前記本体と前記円形蓋部とを組み付けた状態で外縁に沿って隙間が生じるよう前記本体の内径より小さい外径を有し、
前記外縁の一部が切り欠かれ、切欠面が設けられていることを特徴とするロールペーパー収納容器。
【請求項２】
前記切欠面の少なくとも一部に刃部が設置又は形成されていることを特徴とする請求項１記載のロールペーパー収納容器。
【請求項３】
前記支持部の外径の少なくとも一部がロールペーパーの芯開口部の内径よりも大きいことを特徴とする請求項１又は２記載のロールペーパー収納容器。
【請求項４】
前記支持部の外縁の少なくとも一部に弾性体がさらに設けられていることを特徴とする請求項１〜３のいずれか１項記載のロールペーパー収納容器。
【考案の詳細な説明】
【技術分野】
【０００１】
本考案は、ロールペーパー収納容器に関するものであり、詳しくは、機能性のみならずデザイン性に富んだロールペーパー収納容器に関するものである。
【背景技術】
【０００２】
ロールペーパーの代表例であるトイレットペーパーは、従来から主に排便・排尿時に使用されている。トイレットペーパーは、紙製ボックス等に入ったティッシュペーパーに比べ、安価な点、所望の分量だけ調節して使用が可能である点、紙製ボックス等のパッケージが不要となりゴミの減量にも役立つ点など数多くのメリットが挙げられ、排便・排尿以外にも使用されれば、家計・環境保全の観点から大変好ましい。
【０００３】
しかしながら、容器等に収納していないむきだしのトイレットペーパーは安っぽく見え、リビングやキッチンにて使用し、使用後にテーブル等に配置する行為は、見た目を悪くし、室内空間を台無しにしてしまう。
【０００４】
そこで、キッチンやリビングでティッシュペーパーの代わりに使用でき、かつ、外観のデザイン性と機能性との双方を兼ね備えたロールペーパー収納容器が存在すれば、大変望ましい。
【０００５】
従来のトイレットペーパー収納容器は、その用途を反映して、トイレットペーパーを保持する筒状体と、筒状体の両端にて回転可能に接続する接続部と、トイレットペーパーを押圧・切断する押圧部と、トイレ室壁面に取り付け可能な取付部とを備えた構成が一般的である。これらの収納容器は、通常、排便・排尿の用に適した機能性のみに特化した外観を有しており、リビングやキッチンの風景と調和するようなデザイン性を有するものではない。また、これらの収納容器は前述の通り固定式が一般的であって、室内の任意な場所に配置・保管するような代物ではない。
【０００６】
また、排便・排尿以外の用途を前提としたロールペーパー収納容器も既に提案されており、例えば、特許文献１〜９に開示されている。
【０００７】
これらのうち、特許文献１〜４の文献には、ロールペーパーを収容可能な大きさを有した略筒状体を成し、この筒状体の上蓋部或いは下蓋部の中心にはロールペーパーの取出可能な円形開口部が設けられた構造の収納容器が開示されている。しかしながら、これらの収納容器を使用するには、ロールペーパーを収納する前にロールペーパーの芯（通常、紙製の芯）を予め抜き取っておかなければならない。このような追加の抜取作業は、比較的困難な作業であり、特に非力な女性や子供にとっては大変煩わしいものである。また、最悪の場合、作業中に爪が一部折れてしまうといった危険性も伴う。
【０００８】
一方、特許文献５〜８の文献には、上記と同様に略筒状体を成すものの、この筒状体の外周側面上には、この筒状体の軸線と平行にかつロールペーパーの幅より長く延びるようにスリット（細長状の開口部）が設けられた構造が提案されている。しかしながら、これらの収納容器は、収納容器のある側面にスリットが設けられているため、このスリットが使用者の方に面していない時は使用者が収納容器を把持してその向きを変えたり、収納容器を把持しながらロールペーパーを取り出し・切断する必要がある。一方、収納容器内にロールペーパーの回転機構を備えていない場合には収納容器内のロールペーパー設置面とロールペーパーとの摩擦によってロールペーパーがすんなりとスロットから出てこず、取り出しにくいといった別の問題もあった。また、回転機構を備えた場合であっても、使用者が収納容器を把持した際や収納容器に接触した際などにロールペーパーの外側先端がスロットを通して収納容器内に入りこんで、結局、取り出しにくいといった問題もあった。さらに、特許文献５の図面５に記載のように、ロールペーパーを引き出す手とは別の手でもって、収納容器を固定していないと十分な切れ味が保証されないといった別の問題もあった。
【０００９】
さらに、特許文献９の文献には、ロールペーパーを収容可能な大きさを有した略筒状体を成し、この筒状体の上蓋部或いは下蓋部にはロールペーパーの取出可能な開口部が設けられ、かつ、このロールペーパーをその中心開口部にて保持しつつ回転させる保持部材とこの保持部材の端部に接続しロールペーパーの上面或いは下面を覆う円形案内部材とを備えた構造が開示されている。この収容容器は保持部材と円形案内部材とロールペーパーとが一体となって回転するため、使用時にロールペーパーは円形案内部材の滑らかな外縁に案内されつつ、ロールペーパーの軸線方向に引き出されることになる。しかしながら、この収納容器も通常、容器内に回転機構を有するため、上記特許文献５〜８と同様、ふとした拍子にロールペーパーが内部に入り込んでしまう問題があり、また、ロールペーパーの切れ味を保証するために、ロールペーパーを引き出す手とは別の手で収納容器或いはその内部の回転機構を動かないように固定する必要があった。
【先行技術文献】
【特許文献】
【００１０】
【特許文献１】特開２００７−２０９７６７号公報
【特許文献２】実開平０４−０４６８９７号公報
【特許文献３】実開昭６１−１９９２９３号公報
【特許文献４】登録実用新案第３０００７１６号公報
【特許文献５】特開２００３−１４４３４６号公報
【特許文献６】実開平０６−０８１３９４号公報
【特許文献７】特開２００４−２０９１８２号公報
【特許文献８】特開２００７−１６７５９７号公報
【特許文献９】特表平１０−５０１１４８号公報
【考案の概要】
【考案が解決しようとする課題】
【００１１】
本考案は、このような従来の実情に鑑みて提案されたものであり、従来の技術が有する欠点を排除したロールペーパー収納容器を提供することを目的とする。すなわち、本考案は、機能性及びコストパフォーマンスのみならずデザイン性に富んだロールペーパー収納容器を提供することを目的とする。
【００１２】
さらに、本考案は、ロールペーパーの使用にあたって芯材の抜取等の追加作業が無く、かつ、ロールペーパーを容易に取出・切断が可能なロールペーパー収納容器を提供することを目的とする。
【課題を解決するための手段】
【００１３】
本考案者は、ロールペーパー自体が回転しにくい状態であっても、ロールペーパー外側端部が螺旋状にいとも簡単かつ滑らかに回転して引き出される（言い換えれば、ロールペーパーが、その中心軸に対して直交したロールペーパー断面では接線方向に移動しつつ、その中心軸の一端の方向に移動して引き出される）ことを見出し、本考案を完成するに至った。さらに、本考案者は、より好適には、一部の従来技術の機能とは反対に、ロールペーパー自体を却って回転させず固定した方が、よりロールペーパーの取り出しや切断の性能が向上することを見出し、本考案の好適な態様を完成するに至った。
【００１４】
すなわち、本考案は、次の構成・特徴を採用するものである。
１．円形開口部が上方に設けられるとともに底面が設けられた筒状本体と、該開口部を覆う円形蓋部と、を備えたロールペーパー収納容器であって、
前記筒状本体は、前記底面から中心軸に沿って立設して前記円形蓋部を支持する支持部をさらに備え、
前記円形蓋部は、前記筒状本体と前記円形蓋部とを組み付けた状態で外縁に沿って隙間が生じるよう前記筒状本体の内径より小さい外径を有し、
前記外縁の一部が切り欠かれ、切欠面が設けられていることを特徴とするロールペーパー収納容器。
２．  前記切欠面の少なくとも一部に刃部が設置又は形成されていることを特徴とする１記載のロールペーパー収納容器。
３．  前記支持部の外径の少なくとも一部がロールペーパーの芯開口部の内径よりも大きいことを特徴とする１又は２記載のロールペーパー収納容器。
４．  前記支持部の外縁の少なくとも一部に弾性体がさらに設けられていることを特徴とする請求項１〜３のいずれか１項記載のロールペーパー収納容器。
【考案の効果】
【００１５】
本考案のロールペーパー収納容器は、円形蓋部が該蓋部の外縁に沿って隙間が生じるように筒状本体の円形開口部内に設置され、かつ、筒状本体の底面から中心軸に沿って立設した支持部を有する構成を採用するため、ロールペーパーは支持部材に挿通された状態で筒状本体に収納されるとともに、ロールペーパーの外部先端を前記蓋部外縁の隙間から螺旋状に回転させながら取り出すことが可能になる。従って、通常のロールペーパーでは、製造時の巻取方向と反対側の方向（ロールペーパー断面の円ではその接線方向）に、外側先端を引き出す方法が大半であるが、本考案では、ロールペーパーは、この接線方向に加え、この接線方向と直交した軸方向にも移動しながら螺旋状に引き出される。
【００１６】
本考案のロールペーパー収納容器には円形蓋部の外縁の一部に鋸歯形状の切欠部が設けられているため、平面視で円形蓋部の中心軸を基点としながら外縁に沿って回転可能なロールペーパーの移動を妨げずに、移動の向きを若干基点に向けるだけで簡単にロールペーパーを切断することが可能になる。
【００１７】
さらに、本考案のロールペーパー収納容器の好適な態様によれば、支持部の外径の少なくとも一部がロールペーパーの芯開口部の内径よりも大きいため、ロールペーパーを筒状本体に対して固定させながらロールペーパーを取り出すことが可能になる。これにより、ロールペーパーは鋸歯状の切欠部において切断し易くなり、ロールペーパーを引き出す一方の手のみでロールペーパーの引き出し及び切断が可能になる。なお、本考案の別の好適な態様のように、支持部の少なくとも一部が弾性体を含んでいた場合には、ロールペーパー収容の際に支持部への挿通が容易になる。
【図面の簡単な説明】
【００１８】
【図１】実施例１に係るロールペーパー収納容器１の外観を示した斜視図である。
【図２】図２（ａ）に実施例１に係るロールペーパー収納容器１の平面図を示し、図２（ｂ）に断面図を示す。
【図３】本考案のロールペーパー収納容器１の使用方法の各段階を示した図である。
【図４】実施例３に係るロールペーパー収納容器の分解斜視図を示した図である。
【図５】実施例４に係るロールペーパー収納容器の分解斜視図を示した図である。
【考案を実施するための形態】
【００１９】
以下、本考案を図面に示す実施の形態に基づき説明するが、本考案は、下記の具体的な
実施形態に何等限定されるものではない。
【実施例１】
【００２０】
（ロールペーパー収納容器の構造）
図１は本考案の実施例１に係るロールペーパー収納容器１の外観を示す斜視図である。また、図２（ａ）は、実施例１に係るロールペーパー収納容器１の平面図を示し、図２（ｂ）は、図２（ａ）に示すＡ−Ａ線で破断した収納容器１の断面図を示す。
【００２１】
ロールペーパー収納容器１は、図１及び図２に示すように、円形開口部１１が上方に設けられるとともに底面１２が設けられた中空筒状の本体１０と、該開口部１１を覆う円形蓋部２０と、を備える。ここで本体１０の中空筒状の好適な形状として、中空の円筒形、鉢形状、立方体形状等が挙げられるが、ロールペーパー３０が本体１０の内部に収容可能であれば上記例示の形状に限定されない。なお、本体１０や円形蓋部２０の材質は、樹脂、金属やガラス等の幅広く選択可能であるが、軽量化、製造上のコストや作り易さ等の点から樹脂が好ましい。樹脂を選択した場合、収納容器１の各要素を射出成形により大量・安価・高精度に製造することが可能である。
【００２２】
また、図２（ｂ）に示すように、本体１０は、底面１２から中心軸Ｏに沿って立設して円形蓋部２０を支持する支持部１３をさらに備える。好ましくは、支持部１３は、図示のように、底面１２から中心軸Ｏに沿って円形開口部１１付近まで延びた中空円筒形状をなし、さらに、円形開口部１１近くの先端位置での投影面積（投影された円の面積）が底面位置での投影面積よりも若干小さくなるようにテーパが付いた形状を有している。ここで、支持部１３の先端位置での投影円はロールペーパー３０の芯開口部３２の内径より十分小さな外径を有する。
【００２３】
上記のような中空形状を採用することにより樹脂等の材料費を抑制し、さらに上記テーパが付いた所望寸法の形状を採用することにより、支持部１３はロールペーパー３０の芯開口部３２に挿通され易くなり、ひいては収納容器１へのロールペーパー３０の収容が容易になる。
【００２４】
なお、実施例１の円形蓋部２０は中心点から中心軸Ｏに沿って下方に中実円筒体２４が延在し、この中実円筒体２４が支持部１３の中空の内部空間に好適に嵌合するような構造をなす。これにより、円形蓋部２０の本体への着脱が容易になる。
【００２５】
また、円形蓋部２０は、本体１０と円形蓋部２０とを組み付けた状態で外縁２１に沿って隙間Ｇが生じるよう本体１０の内径より小さい外径を有する。好ましくは、半径方向に２ｍｍ〜５ｍｍ程度の隙間Ｇが生じるように円形蓋部２０の外径を決定する。これにより、外周方向の任意の位置にあるロールペーパー３０の外側先端３１をこの隙間Ｇを通して収納容器１の内部から外部に取り出すとともに、これを本体１０と円形蓋部２０とによって区画された隙間Ｇに沿って所望の長さだけ引き出すことができる。なお、引き出す際の外側先端３１の移動は、三次元的であり、ロールペーパー３０の外周から解かれるような螺旋状の軌跡を取る。従って、進路上に障害物や摩擦等の抵抗もなく滑らかな移動が保証される。
【００２６】
なお、この外縁２１の一部が切り欠かれており、切欠面２２の少なくとも一部に刃部２３が形成されている。この刃部２３として、例えば、金属製の刃部２３を切欠面２２に追加的に設置したり、切欠面２２に鋸歯断面形状を形成したり、表面粗さが円形蓋部２０の他の外縁２１より大きな面を設けたりしてもよい。これにより、図２（ａ）に示すように、隙間Ｇ内において円形蓋部２０の外縁２１の接線方向に移動可能なロールペーパー３０の外側先端３１は、切り欠かれた空間において中心軸Ｏに向けて移動させ、切欠面２２の鋸歯形状に接触させることでロールペーパー３０を切断することが可能になる。
【００２７】
（ロールペーパー収納容器の使用方法）
図３に本考案の収納容器１の使用方法の各段階を示した図である。まず、図３（ａ）に示すように円形蓋部２０を本体１から取り外して円形開口部１１を露出させる。次に、図３（ｂ）に示すようにロールペーパー３０の芯開口部３２を支持部１３に挿通させながらロールペーパー３０を本体１０内に収容する。そして、図３（ｃ）に示すように、再度、円形蓋部２０を本体１に取り付ける。その際、ロールペーパー３０の外側先端３１を本体１の円形開口部１１から予め引き出しておく。
【００２８】
実際に使用する段になって、図３（ｄ）に示すように、ロールペーパー３０の外側先端３１を把持しながら隙間Ｇに沿って螺旋状に回転させながら必要な長さだけ引き出し、図３（ｅ）に示すように円形蓋部２０の切欠面２２に設置された刀部２３を使用してロールペーパー３０を切断する。以上のような使用方法を毎回行うことになるが、その時々に状況に応じて必要な分量だけロールペーパー３０を使用することができる。
【実施例２】
【００２９】
次に、本考案の別の実施例（図示せず）に係るロールペーパー収納容器１について説明する。実施例２に係るロールペーパー収納容器１では、本体１０の支持部１３の外径の少なくとも一部がロールペーパー３０の芯開口部３２の内径よりも大きいことを特徴とする。図示しないが、例えば、支持部１３が、底面１２に向かって末広がりのテーパ付中空円筒形状をなし、かつ、底面１２付近の支持部１３の外径が芯開口部３２の内径よりも大きい場合が考えられる。
【００３０】
このような構成の実施例２を採用することにより、ロールペーパー３０を本体１０に対して固定させることができ、収納容器１の移動・接触・落下等が生じてもロールペーパー３０は本体１０に対して相対移動しにくくなり、ふとした拍子に外側先端３１が収納容器１内部に入り込んでしまう問題が生じにくくなる。また、ロールペーパー３０が本体１０や円形蓋部２０に対して相対移動しないため、切欠面２２の刃部２３においてロールペーパー３０を切断し易くなり、より良い切れ味が保証される。例えば、ロールペーパー３０を把持している手のみを使用するだけでも、ロールペーパー３０の引き出し・切断が可能である。
【００３１】
なお、以上説明した特徴以外の実施例２の構成は、実施例１の構成と同様であり、これらについての説明は省略する。後述する実施例３及び４についての説明も同様である。
【実施例３】
【００３２】
次に、本考案の実施例３に係るロールペーパー収納容器１について説明する。実施例３に係るロールペーパー収納容器１では、支持部１３の外縁の少なくとも一部に弾性体４１がさらに設けられていることを特徴とする。例えば、図４に示すように、支持部１３の外縁の一部に中空円筒形の弾性体４１を装着してもよい。この弾性体４１の材質として、ゴム系素材やシリコン系素材が好ましい。
【００３３】
このような構成の実施例３を採用することにより、実施例２と同様に、ロールペーパー３０を本体１０に対して固定させることができるが、弾性体４１を介在させているため、ロールペーパー３０の芯開口部３２の支持部１３への挿通が容易となり、また、弾性体４１の復元力により、挿通後に芯開口部３２を押圧してロールペーパー３０を本体１０に対して固定することができる。
【実施例４】
【００３４】
次に、本考案の実施例４に係るロールペーパー収納容器１について説明する。実施例４に係るロールペーパー収納容器１は、実施例３の構成と同様に、支持部１３の外縁の少なくとも一部に弾性体４２がさらに設けられていることを特徴とする。しかしながら、本実施例の弾性体４２は、実施例３の弾性体４１の構成・構造が異なる。具体的には、図５に示すように、実施例４の弾性体４２は全体的に中空円筒形状或いは中空樽形状を有するとともに、長手方向に延びた開口部４２１が周方向に複数設けられた構造をなしている。従って、開口部４２１間には細長い柱４２２が設けられることになり、これらの複数の柱４２２がロールペーパー３０の取り付けや固定に所望の弾性や可撓性を発揮することになる。
【００３５】
以上のような構成の弾性体４２の材質として樹脂、ゴム系素材、シリコン系素材などが挙げられるが、上記所望の弾性を有するものであれば金属系素材であってもよい。また、実施例４の弾性体４２は実施例３の弾性体４１に比べて長手方向（軸方向）に長いため、ロールペーパー３０を収容する前に本体１０の支持部１３に接着剤等に予め接着しておくことが好ましい。
【００３６】
このような構成の実施例４を採用することにより、実施例３と同様に、弾性体４２を介在させているため、ロールペーパー３０の芯開口部３２の支持部１３への挿通が容易となり、また、弾性体４２の復元力により、挿通後に芯開口部３２を押圧してロールペーパー３０を本体１０に対して固定することができる。
【産業上の利用可能性】
【００３７】
本考案のロールペーパー収納容器は、機能性及びコストパフォーマンスのみならずデザイン性にも富んでいる。さらに、ロールペーパーの使用にあたって芯材の抜取等の追加作業が無く、かつ、ロールペーパーを容易に取出・切断が可能である。従って、本考案のロールペーパー収納容器は、産業上の利用可能性が非常高い。
【符号の説明】
【００３８】
１    ロールペーパー収納容器
１０    本体
１１    円形開口部
１２    底面
１３    支持部
２０    円形蓋部
２１    円形蓋部の外縁
２２    切欠面
２３    刃部
２４    中実円筒体
３０    ロールペーパー
３１    ロールペーパーの外側先端
３２    ロールペーパーの芯開口部
４１，４２    弾性体
Ｇ    隙間
【図１】
0003162097.tif 000003
【図２】
0003162097.tif 000004
【図４】
0003162097.tif 000005
【図５】
0003162097.tif 000006
【図３】
0003162097.tif 000007